(57)【特許請求の範囲】
【請求項１】
弁体と、それを被覆する合成樹脂製のカバーと、その弁体の下部に排水口を閉鎖するパッキンが備えられて構成され、該弁体にカバーを被覆するに当って、弁体の外周端縁の狭い幅の周端面に少なくとも３以上のスリット溝を刻設し、カバーには、該スリット溝に嵌込む突起が弁体を被覆するカバーの取付け止め代である折曲端縁部の内周面に形成され、該突起が前記スリット溝に係合されてカバーを弁体に一体化することを特徴とするカバー付栓蓋。
【請求項２】
カバーの取付け止め代である折曲端縁部の内周面に形成される突起が嵌込む前方を傾斜面とし、後方を直角面とした鋸歯状にし、その幅が先端に向けて弁体のスリット溝の横幅よりも先細りに形成されていることを特徴とする請求項１記載のカバー付栓蓋。
【請求項３】
カバーの取付け止め代である折曲端縁部の内周面に形成される突起が合成樹脂製カバーの折曲端縁部の下端部よりも多少上方位置に形成され、該突起のスリット溝への係合で弁体に隠れることを特徴とする請求項１乃至２のいずれか１項に記載のカバー付栓蓋。
【請求項４】
取付け止め代である折曲端縁部が、切欠きを入れない一連のリングであることを特徴とする請求項１乃至３のいずれか１項に記載のカバー付栓蓋。
【請求項５】
少なくとも取付け止め代である折曲端縁部より内側の肉厚を均一にすることを特徴とする請求項１乃至４のいずれか１項に記載のカバー付栓蓋。
【発明の詳細な説明】
【技術分野】
【０００１】  本発明は、弁体の下部に排水口を閉鎖するパッキンが備えられて構成される栓蓋のその弁体の上面に、合成樹脂製のカバーが被覆されるカバー付栓蓋に関するものである。
【背景技術】
【０００２】  浴槽、洗面器等の排水栓は、水槽底面に設けられた排水口に排水口金具が排水継手の螺合による締着で取付けられ、該排水口金具に嵌着された支持部材でレリースワイヤの作動部を支持し、該作動部のシャフトの押し引きで、弁軸を介して取付けられている栓蓋が昇降され、排水口の開閉がされるものである。【０００３】  浴槽、洗面器等の水槽底面の排水口には、取付けられる排水口金具が露出しているので、汚れが付着し易く、付着した汚れが目立って外観を損うことになる。
それを解決する為に、水槽底面の窪み部に形成された排水口に排水口金具を取付け、排水口を開閉する栓蓋が、排水口金具を覆うようにされ、閉鎖状態の際、該排水口金具が栓蓋に隠れて見えないようにしたものがある（特許文献１）。
栓蓋が閉鎖状態の際、排水口金具を栓蓋で隠れるようにするには、栓蓋がそれに相応した大径のものにされることになる。【０００４】  また、浴槽、洗面器等の栓蓋は、弁体と、その弁体の下部には排水口の閉鎖が水密にされるパッキンを備えて構成されている。
栓蓋の弁体は、合成樹脂で一体成形する場合、肉厚が均等でないので、その弁体の成形で、表面にひけ、光沢不良とくもり等を生じ易く、弁体の表面に生じるひけ、光沢不良とくもり等は、大径の弁体になると目立ち易い。【０００５】  一方、浴槽、洗面器等の栓蓋は、高級感、金属質感を満たす為に、弁体の上面に金属薄板のカバーが施され、弁体の外周端縁にカシメ代でカシメ取付けされている（特許文献２）。
【先行技術文献】
【特許文献】
【０００６】
【特許文献１】  特開２０１０−０５３５３９
【特許文献２】  特開２００４−２３８９８０
【発明の概要】
【発明が解決しようとする課題】
【０００７】  栓蓋は、全体を合成樹脂一体で成形できれば、簡単で、それに越したことがないが、合成樹脂による栓蓋の成形には、弁体の肉厚が均一でないので、その弁体の表面にひけ、光沢不良とくもり等を生じ易く、弁体が大径であると一層目立ち易くなる。
そこで、弁体の化粧面である表面に生じるひけ、光沢不良とくもり等の解決と、コスト、質感等の理由で弁体を合成樹脂製の表面としたい場合があって、これらを解決するために弁体の上面に合成樹脂製のカバーが被覆される。
しかし、合成樹脂製のカバーを弁体に取付けるには困難があった。【０００８】  よって、本発明は、好ましいコスト、質感が叶えられ、ワンタッチで弁体に合成樹脂製のカバーが取付けられ、外れ難いカバー付栓蓋を得ることにある。
【課題を解決するための手段】
【０００９】  本発明のカバー付栓蓋は、浴槽、洗面器等の栓蓋が、弁体と、それを被覆する合成樹脂製のカバーと、その弁体の下部に排水口を閉鎖するパッキンが備えられて構成され、該弁体にカバーを被覆するに当って、弁体の外周端縁の狭い幅の周端面に少なくとも３以上のスリット溝を刻設し、カバーには、該スリット溝に嵌込む突起が弁体を被覆するカバーの取付け止め代である折曲端縁部の内周面に形成され、該突起が前記スリット溝に係合されてカバーを弁体に一体化するものである。【００１０】  本発明のカバー付栓蓋は、合成樹脂製のカバーの取付け止め代である折曲端縁部の内周面に形成される突起が嵌込む前方を傾斜面とし、後方を直角面とした鋸歯状にし、その幅が先端に向けて弁体のスリット溝の横幅よりも先細りに形成されているものである。【００１１】  本発明のカバー付栓蓋は、合成樹脂製のカバーの取付け止め代である折曲端縁部の内周面に形成される突起が前記折曲端縁部の下端部よりも多少上方位置に形成され、弁体のスリット溝への係合で弁体に隠れるものである。【００１２】  本発明のカバー付栓蓋は、カバーが合成樹脂製であって、取付け止め代である折曲端縁部が、切欠きを入れない一連のリングであるものである。【００１３】  本発明のカバー付栓蓋は、カバーが合成樹脂製であって、少なくとも取付け止め代である折曲端縁部より内側の上面の肉厚を均一にするものである。
【発明の効果】
【００１５】  本発明のカバー付栓蓋は、弁体の外周端縁の周端面の幅が狭く、該弁体に被覆する合成樹脂製のカバーの取付け止め代である折曲端縁部の内周面が浅くても、弁体の外周端縁の狭い幅の周端面に、少なくとも３以上のスリット溝を刻設し、該スリット溝にカバーの取付け止め代である折曲端縁部の内周面に形成された突起を嵌込み、係合することによって、弁体よりカバーが外れなく、しかも、ワンタッチで、安易に、且つ、確実に取付けることができることになる。
そして、カバー付栓蓋は、栓蓋の成形で表面に生じるひけ、光沢不良とくもり等の問題を解決するため、弁体上面に施された合成樹脂製のカバーが容易に取付けられ、それも、弁体よりカバーが外れないようにでき、見栄え良く出来る。【００１６】  本発明のカバー付栓蓋は、合成樹脂製のカバーの取付け止め代である折曲端縁部の内周面に形成される突起が、嵌込む前方を傾斜面とし、後方を直角面とした鋸歯状にし、且つ、その幅が先端に向けて弁体のスリット溝の横幅よりも先細りに形成されているので、弁体の狭い幅の外周端縁、そしてカバーの浅い折曲端縁部であっても、カバーの弁体への係合が容易にでき、且つ確実で、外れ難い。【００１７】  本発明のカバー付栓蓋は、合成樹脂製のカバーの取付け止め代である折曲端縁部の内周面に形成される突起が、カバーの折曲端縁部の下端部よりも多少上方位置に形成されるので、弁体のスリット溝への係合で係合部分が弁体に隠れて見栄え良く、且つ、汚れが付着し難く、衛生的である。【００１８】  本発明のカバー付栓蓋は、カバーが合成樹脂製であるので、その弾性変形により取付け止め代である折曲端縁部が切欠きを入れない一連のリングであっても、ワンタッチで弁体の外周端縁のスリット溝に合成樹脂製カバーの折曲端縁部の突起を係合し、また、折曲端縁部が一連のリングであるので外れ難い、堅固で、確実な一体化の取付けをすることが出来る。【００１９】  本発明のカバー付栓蓋は、カバーが合成樹脂製であって、少なくとも取付け止め代である折曲端縁部より内側の上面の肉厚が均一であるので、化粧面である合成樹脂製カバー上面には、成形時に生じるひけ等がないように出来、また、ひけ等を生じ易い大径になっても、ひけ等を生じない合成樹脂製カバーで弁体を覆うことができることになる。
【図面の簡単な説明】
【００２１】
【図１】  浴槽、洗面器等の排水口がカバー付栓蓋により閉鎖された状態図である。
【図２】  カバー付栓蓋の縦断面図である。
【図３】  カバー付栓蓋における合成樹脂製のカバーと栓蓋との分解図である。
【図４】  弁体の外周端縁の周端面に刻設されたスリット溝へ合成樹脂製のカバーの折曲端縁部の内周面に形成された突起を嵌込み係合させた拡大状態図である。
【図５】  弁体のスリット溝へ合成樹脂製カバーの折曲端縁部内周面に形成された突起が嵌込み係合される水平面断面での拡大状態図である。
【図６】  合成樹脂製のカバーの折曲端縁部の内周面下端に爪部を形成し、弁体の外周端縁の周端面下部にスリット溝を刻設し、スリット溝に爪部が係合された状態を示す断面図である。
【図７】  合成樹脂製のカバーの折曲端縁部の内周面下端に爪部を形成し、弁体の外周端縁の周端面下部にスリット溝を刻設し、スリット溝に爪部が係合された状態を示す下視図である。
【発明の実施するための形態】
【００２２】  浴槽、洗面器等の排水栓は、図１に示す如く、水槽３底面の窪み部３０１に形成された排水口３０へ排水口金具３１を排水管継手３２の螺合で締着されて取付けし、排水口金具３１に嵌着された支持部材３３でレリースワイヤの作動部３４を支持し、該作動部のシャフト３５の押し引きで弁軸１０１を介して取付けられている栓蓋１が昇降され、排水口３０の開閉をするものである。
ガイド軸１０２は、排水口３０の開閉をするために昇降される栓蓋１が、支持部材３３にガイドされて摺動する。
【００２３】  本発明のカバー付栓蓋は、弁体１０に合成樹脂製のカバー２が被覆された栓蓋１であって、該栓蓋は、弁体１０とそれに垂下する弁軸１０１及びガイド軸１０２とでなり、開閉する栓蓋１の閉鎖状態の際、弁体１０の下部に排水口金具３１と当接して止水するパッキン４が備えられている。
【００２４】  カバー付栓蓋は、図２乃至図３に示す如く、弁体１０に、その成形時に生じるひけ、光沢不良とくもり等の問題を解決させるため、合成樹脂製のカバー２が被覆される。
【００２５】  カバー付栓蓋は、カバー２が合成樹脂製であるので、少なくとも取付け止め代である折曲端縁部２０より内側の肉厚２２が均一であるようにし、成形時のひけ等を生じないようにする。
【００２６】  そこで、弁体１０より合成樹脂製のカバー２が外れ難くするために、カバー２に止め代である折曲端縁部２０を形成すると共に、弁体１０の外周端縁１１の狭い幅の周端面に少なくとも３以上のスリット溝１１１を刻設し、該スリット溝に嵌込み係合させる突起２１が弁体１０を被覆するカバー２の折曲端縁部２０の内周面に形成され、前記スリット溝に該突起２１が係合されて弁体１０にカバー２をワンタッチで一体化させることになる。
【実施例１】
【００２７】  カバー付栓蓋は、図４乃至図５に示すが如く、合成樹脂製のカバー２の折曲端縁部２０の内周面に形成される突起２１が嵌込む前方を傾斜面２１１とされ、後方を直角面２１２とした鋸歯２１０に形成し、傾斜面２１１により嵌込み易くし、直角面２１２により抜け難くしたその鋸歯２１０の幅が先端に向けて弁体１０のスリット溝１１１の横幅よりも先細り２１３になるように形成され、先細り２１３であるので、突起２１を嵌込む際に、突起２１とスリット溝１１１とが多少ずれていても嵌込み易くしている。
よって、突起２１の根元までもがスリット溝１１１に嵌込まれ、浮き上ることなく、確実に係合させることができる。【００２８】  カバー付栓蓋は、合成樹脂製のカバーの止め代である折曲端縁部２０の内周面に形成される突起２１が、その折曲端縁部２０の下端部２０１よりも僅か上方位置に形成され、この僅か上方位置にされることによって、弁体１０にカバー２が被覆され、弁体１０のスリット溝１１１にカバー２の突起２１が嵌込み係合されると、この係合部分であるスリット溝１１１及び突起２１が弁体１０によって見えないように隠れて、更に、隙間が表面に顕われず、汚れが目立たなく、見栄えよくできるものである。【００２９】  カバー付栓蓋は、カバー２が合成樹脂製であるので、その弾性変形により取付け止め代である折曲端縁部２０が切欠きを入れない一連のリングであっても、合成樹脂の弾性により弁体１０の外周端縁１１を押込むことができ、ワンタッチで、弁体１０の外周端縁１１のスリット溝１１１に合成樹脂製カバー２の折曲端縁部２０の突起２１を嵌込み係合することができる。【００３０】  なお、カバー付栓蓋は、弁体１０の外周端縁１１下部に、環状段部１２を設け、金属薄板のカバーがカシメ取付けで弁体１０に被覆されるとき、金属薄板のカバーのカシメ代による底面部分の端部が嵌め込まれ、栓蓋１の弁体１０が金属薄板のカバーで被覆されるものに共用できるようにする。
【実施例２】
【００３１】カバー付栓蓋は、図６乃至図７に示す如く、合成樹脂製のカバー２の折曲端縁部２０の内周面下端に爪部２３を形成し、弁体１０の外周端縁１１の周端面下部にスリット溝１１１を刻設し、該スリット溝に爪部２３が係合されて、弁体１０にカバー２をワンタッチで一体化させるものである。
【符号の説明】
【００３２】１        栓蓋
１０      弁体
１０１    弁軸
１０２    ガイド軸
１１      外周端縁
１１１    スリット溝
１２      環状段部
２        カバー
２０      折曲端縁部
２０１    下端
２１      突起
２１０    鋸歯
２１１    傾斜面
２１２    直角面
２１３    先細り
２２      肉厚
２３      爪部
３        水槽
３０１    窪み部
３０      排水口
３１      排水口金具
３２      排水管継手
３３      支持部材
３４      作動部
３５      シャフト
４        パッキン
【図１】
0005958891.tif 000002
【図２】
0005958891.tif 000003
【図３】
0005958891.tif 000004
【図４】
0005958891.tif 000005
【図５】
0005958891.tif 000006
【図６】
0005958891.tif 000007
【図７】
0005958891.tif 000008